(57)【要約】      （修正有）【課題】取付強度が高く、迅速な取付作業が可能で、しかも、固定部の寸法に対して許容幅を容易に得ることのできる取付固定具を実現する。【解決手段】取付固定具は、少なくとも内面側の輪郭が断面Ｌ字状に構成されたベース部材１と、ベース部材の内面上に取り付けられ、少なくとも内面側の輪郭がベース部材を含めた全体として断面コ字形状になるように構成する取付部材２と、取付部材上に取り付けられ、断面コ字形状の内部に収容された固定部を断面コ字形状の開口側から保持可能に構成されたクランプ機構３と、ベース部材と取付部材の間若しくは取付部材とクランプ機構の間に介挿固定可能に構成されるとともに、取付部材における断面コ字形側の側面に取付固定可能に構成される調整プレート４とを具備することを特徴とする。【選択図】図１
0003137248.tif 000002
【実用新案登録請求の範囲】
【請求項１】
少なくとも内面側の輪郭が断面Ｌ字状に構成されたベース部材と、
該ベース部材の内面上に取り付けられ、少なくとも内面側の輪郭が前記ベース部材を含めた全体として断面コ字形状になるように構成する取付部材と、
該取付部材上に取り付けられ、前記断面コ字形状の内部に収容された固定部を前記断面コ字形状の開口側から保持可能に構成されたクランプ機構と、
前記ベース部材と前記取付部材の間若しくは前記取付部材と前記クランプ機構の間に介挿固定可能に構成されるとともに、前記取付部材における前記断面コ字形状側の側面に取付固定可能に構成される調整プレートと、
を具備することを特徴とする前記固定部に取付固定するための取付固定具。
【請求項２】
前記調整プレートは、前記取付部材の前記側面上に取付固定されたときに前記断面コ字形状の開口側に位置する角部が面取り状若しくは丸め状に加工されていることを特徴とする請求項１に記載の取付固定具。
【請求項３】
少なくとも内面側の輪郭が断面Ｌ字状に構成されたベース部材と、
該ベース部材の内面上に取り付けられ、少なくとも内面側の輪郭が前記ベース部材を含めた全体として断面コ字形状になるように構成する取付部材と、
該取付部材上に取り付けられ、前記断面コ字形状の内部に収容された固定部を前記断面コ字形状の開口側から保持可能に構成されたクランプ機構と、
前記ベース部材と前記取付部材の間若しくは前記取付部材と前記クランプ機構の間に介挿固定可能に構成される第１の調整プレートと、前記取付部材における前記断面コ字形側の側面に取付固定可能に構成される第２の調整プレートと、
を具備することを特徴とする前記固定部に取付固定するための取付固定具。
【請求項４】
前記第２の調整プレートは、前記断面コ字形状の開口側に位置する角部が面取り状若しくは丸め状に加工されていることを特徴とする請求項３に記載の取付固定具。
【考案の詳細な説明】
【技術分野】
【０００１】
本考案は取付固定具に係り、特に、角材に取付固定する場合に好適な取付固定具の構造に関する。
【背景技術】
【０００２】
一般に、高所（山間部等）、水利不足地域又は消防訓練等にて消火を行う際などには、消防用の仮設水槽を組み立て、この仮設水槽に消火栓又は河川等（自然水利・固定防火水槽）からのポンプ揚水により給水を行った上で、当該仮設水槽からさらにポンプで揚水を行う場合がある。仮設水槽としては、水槽枠の角型鋼材よりなる上縁フレームに防水シートの端部を固定したものを用いる場合があるが、この場合、ホース継手を備えた給水口をクランプ等により上縁フレームに取付固定し、このホース継手に消火栓又は河川等（自然水利・固定防火水槽）からのポンプ揚水に接続した消防ホースを接続することで、容易に給水を行うことができる。上記のように各種の被固定物をフレーム等に固定するための取付固定具としては、断面Ｌ字状や断面コ字状の部材を用いた種々の取付構造を有するものが知られている（たとえば、以下の特許文献１乃至３参照）。
【特許文献１】特開平９−２１００２１号公報
【特許文献２】特開平５−９４５０８号公報
【特許文献３】実用新案登録第３０８３５２８号公報
【考案の開示】
【考案が解決しようとする課題】
【０００３】
しかしながら、前述の取付固定具では比較的軽量なものをねじ構造を用いて固定するものが多いために特に問題は生じないものの、消防器具のように被固定物の重量が重く高い水圧が加わる可能性がある場合には、強度の高い固定機能を設けて安全性を確保する必要がある。また、消防現場などでは短時間に確実な操作を完了する必要があるため、取付作業を迅速に行うことができ、しかも、確実な取付状態を得ることができなければならない。さらに、上記のような取付固定具では取付先の固定部の寸法が一定でないことが多いため、固定部の寸法に対しても一定の許容幅を確保する必要がある。
【０００４】
そこで、本発明は上記問題点を解決するものであり、その課題は、取付強度が高く、迅速な取付作業が可能で、しかも、固定部の寸法に対する許容幅を容易に得ることのできる取付固定具を実現することにある。
【課題を解決するための手段】
【０００５】
斯かる実情に鑑み、本考案の固定部に取付けるための取付固定具は、少なくとも内面側の輪郭が断面Ｌ字状に構成されたベース部材と、該ベース部材の内面上に取り付けられ、少なくとも内面側の輪郭が前記ベース部材を含めた全体として断面コ字形状になるように構成する取付部材と、該取付部材上に取り付けられ、前記断面コ字形状の内部に収容された固定部を前記断面コ字形状の開口側から保持可能に構成されたクランプ機構と、前記ベース部材と前記取付部材の間若しくは前記取付部材と前記クランプ機構の間に介挿固定可能に構成されるとともに、前記取付部材における前記断面コ字形側の側面に取付固定可能に構成される調整プレートと、を具備することを特徴とする。
【０００６】
本考案において、前記調整プレートは、前記取付部材の前記側面上に取付固定されたときに前記断面コ字形状の開口側に位置する角部が面取り状若しくは丸め状に加工されていることが好ましい。
【０００７】
また、本考案の別の固定部に取付固定するための取付固定具は、少なくとも内面側の輪郭が断面Ｌ字状に構成されたベース部材と、該ベース部材の内面上に取り付けられ、少なくとも内面側の輪郭が前記ベース部材を含めた全体として断面コ字形状になるように構成する取付部材と、該取付部材上に取り付けられ、前記断面コ字形状の内部に収容された固定部を前記断面コ字形状の開口側から保持可能に構成されたクランプ機構と、前記ベース部材と前記取付部材の間若しくは前記取付部材と前記クランプ機構の間に介挿固定可能に構成される第１の調整プレートと、前記取付部材における前記断面コ字形側の側面に取付固定可能に構成される第２の調整プレートと、を具備することを特徴とする。
【０００８】
本考案において、前記第２の調整プレートは、前記断面コ字形状の開口側に位置する角部が面取り状若しくは丸め状に加工されていることが好ましい。
【０００９】
なお、上記の調整プレート（第２の調整プレート）及び前記支持ブロックは、前記角部が前記開口側に位置する姿勢でのみ前記調整プレートを前記側面上に取付可能に構成する取付構造を有することがさらに望ましい。また、ベース部材に対する取付部材の取付位置を変えて断面コ字形状の幅を調整可能とする幅方向調整手段（後述する蝶ねじ５、長孔１ａの固定構造）を有することが好ましく、さらに、クランプ機構の保持位置を変えて断面コ字形状内の固定部の保持深さを調整可能とする保持位置調整手段（後述する駆動レバー３ｃ、作用軸３ｅの螺合・固定構造）を有することが好ましい。
【考案を実施するための最良の形態】
【００１０】
以下、本考案の実施の形態を図示例と共に説明する。図１は本実施形態の取付固定具を用いた給水装置の概略斜視図、図２は支持ブロックと調整プレートの取付構造を示す概略斜視図、図３は大径の固定部（上縁フレーム）Ｆ１に取り付けた状態を示す断面図、図４は小径の固定部（上縁フレーム）Ｆ２に取り付けた状態を示す断面図である。
【００１１】
本実施形態では、断面Ｌ字状の板状のベース部材１、このベース部材１に着脱可能に取り付けられたブロック状の取付部材２、取付部材２に取付固定されたクランプ機構３、ベース部材１と取付部材２の間に介挿固定された調整プレート４を有する取付固定具が用いられる。この取付固定具は、特に限定されるものではないが、図示例の場合、被固定物としてベース部材１の外面上に取付具１１を介して固定された給水装置１２を固定部としての水槽の上縁フレームＦ（角材）に固定するものとなっている。給水装置１２は、図示しない消防ホースに接続可能なホース継手１２ａにＬ字型の給水パイプ１２ｂが取り付けられたものである。
【００１２】
図１に示すように、ベース部材１はそれぞれ平板状の支持部１Ａと係合部１Ｂとが直交する構造を有することで少なくとも内面側（図示下側）の輪郭が断面Ｌ字状に構成される。ベース部材１の支持部１Ａには取付部材２を係合部１Ｂとの間隔を調整可能に取り付けるための、係合部１Ｂに向う方向に延長された形状の長孔１ａが形成されている。なお、孔１ｂは図示しないチェーン等の条材を係合させるためのもので、当該条材をフレーム等に連結させることで万一上縁フレームＦから取付固定具が外れた場合に備えることができる。
【００１３】
また、ベース部材１の支持部１Ａの内面（図示下面）上には取付部材２及びクランプ機構３が取付固定されている。図示例では一つのベース部材１に対して幅方向に二つの取付部材２及びクランプ機構３が取り付けられているが、特に限定されるものではなく一つ或いは三つ以上であってもよい。
【００１４】
取付部材２は、図２に示すように、ベース部材１の支持部１Ａ側に設けられた固定面２Ａと、固定面２Ａの反対側に設けられ、クランプ機構３を取り付ける取付面２Ｂと、固定部（上縁フレーム）Ｆ側に設けられた側面２Ｓとを有する直方体形状を有する。図示例の場合、上記固定面２Ａ、取付面２Ｂ及び側面２Ｓに隣接する端面が略正方形となっている。固定面２Ａには、蝶ねじ５に螺合可能なねじ穴２ａと、固定ねじ６に螺合可能なねじ穴２ｂと、後述する調整プレート４の位置決めピン４ａが嵌合可能に構成された複数（図示例では２つ）の位置決め穴２ｃ、２ｃとが形成される。また、側面２Ｓには、固定ねじ６に螺合可能なねじ穴２ｄと、上記位置決めピン４ａが嵌合可能に構成された複数の位置決め穴２ｅ，２ｅとが形成される。
【００１５】
調整プレート４は取付部材２の上記固定面２Ａと側面２Ｓの双方に取付可能に構成され、その当接面には上記位置決めピン４ａが突設されている。また、上記蝶ねじ５の軸部を挿通可能な挿通孔４ｂが構成されるとともに、上記固定ねじ６の軸部を挿通し同頭部に係合可能な段付孔４ｃも形成されている。そして、調整プレート４の一つの角部４ｄは面取り状に形成されている。なお、面取り状の代わりに丸め状に形成されていてもよい。
【００１６】
上記構成により調整プレート４は図示のように既定の姿勢でのみ上記固定面２Ａ及び側面２Ｓ上に固定できるように構成される。また、当該姿勢で調整プレート４が側面２Ｓ上に固定されたとき、角部４ｄは固定面２Ａの反対側に位置するようになっている。
【００１７】
図３に示すように、クランプ機構３は所謂トグルクランプであり、取付部材２の取付面２Ａに取り付けられた基部３ａと、基部３ａに対して回動軸３ｘを中心に回動可能に取り付けられた操作レバー３ｂと、基部３ａに対して回動軸３ｙを中心に回動可能に取り付けられた駆動レバー３ｃと、操作レバー３ｂに対して回動軸３ｚを中心に回動可能に取り付けられ、駆動レバー３ｃに対して回動軸３ｖを中心に回動可能に取り付けられる態様で、操作レバー３ｂと駆動レバー３ｃとの間に連結された連結レバー３ｄとを有し、駆動レバー３ｃの先端にはボルトねじ状の作用軸３ｅが進退可能に取り付けられている。作用軸３ｅの駆動レバー３ｃからの突出量はねじ調整によって調整可能である。
【００１８】
クランプ機構３は図示二点鎖線で示すように操作レバー３ｂを図示右側上方に回動させると連結レバー３ｄを介して駆動レバー３ｃが図示右側下方に回動退避し、アンクランプ状態となる。このアンクランプ状態から操作レバー３ｂを図示左側下方へ回動させると、連結レバー３ｄを介して駆動レバー３ｃが図示左側上方へ回動突出して、図示実線で示すように操作レバー３ｂ及び連結レバー３ｄが死点を越えるため、クランプ状態となる。
【００１９】
図３において、取付部材２は調整プレート４を介して長孔１ａに挿通された蝶ねじ５（及びスプリングワッシャ及び平ワッシャ）によりベース部材１に固定される。ここで、調整プレート４は上記位置決めピン４ａと位置決め穴２ｃとの嵌合及び固定ねじ６とねじ穴２ｂとの螺合により上記既定の姿勢で取付部材２に固定される。そして、ベース部材１、調整プレート４及び取付部材２によって内面側の輪郭が断面コ字形状に構成され、当該断面コ字形状の内面側輪郭内に固定部Ｆ１を嵌合させることができる。実際には固定部Ｆ１の挿入を容易にするために、固定部Ｆ１の左右幅Ａに対して厚紙１枚（０．２〜１．５ｍｍ）程度の寸法余裕を持たせて取付部材２の左右位置を固定する。既定の固定部Ｆ１に対して一度取付部材２の位置が設定されれば、次回からは取付部材２の位置調整なしで固定部Ｆ１を断面コ字形状の内側に挿入できる。この場合、アンクランプ姿勢にあるクランプ機構３の内側部３ｓが開くように傾斜していることで、固定部Ｆ１をスムーズに導入することができる。固定部Ｆ１の導入後、クランプ機構３の操作レバー３ｂを操作することで図示実線で示すように作用軸３ｅの先端が断面コ字形状の開口側から固定部Ｆ１を加圧保持する。なお、作用軸３ｅの突出量は予め固定部Ｆ１の上下幅Ｂに合わせて調整しておく。
【００２０】
一方、より小径の固定部Ｆ２に取付ける場合には、図４に示すように調整プレート４を取り外し、取付部材２の側面２Ｓ上に固定する。このとき、取付部材２の側面２Ｓ上に調整プレート４が存在するので、固定部Ｆ２の左右幅Ａ′が小さくなっても調整プレート４の厚みＣ分だけ取付部材２の調整移動量を減少させることができる。同様に、固定部Ｆ２の上下幅Ｂ′が小さくなっても調整プレート４がベース部材１と取付部材２の間に介在しないために調整プレート４の厚みＣ分だけ作用軸３ｅの調整量を減少させることができる。
【００２１】
本実施形態では、調整プレート４をベース部材１と取付部材２の間に介挿した状態（図３）から取付部材２の側面２Ｓ上に固定した状態（図４）にすることで、本来必要な左右方向の調整量（蝶ねじ５による調整時の移動量）であるＡ−Ａ′及び上下方向の調整量（作用軸３ｅによる調整時の移動量）であるＢ−Ｂ′がそれぞれ調整プレート４の厚みＣだけ減少する。たとえば、Ａ−Ａ′＝Ｃ、Ｂ−Ｂ′＝Ｃが成立すれば、上記調整作業は全く不要となる。以上の点を勘案すれば、動作上の支障をきたさずに固定部の寸法に対する許容幅を広げることができる。
【００２２】
また、調整プレート４が側面２ｓ上にあるとき、その角部４ｄはコ字状断面の開口側に位置するので、固定物Ｆ２を導入する際に面取り状若しくは丸め状に構成された角部４ｄに引っかかりにくくなるため、迅速かつ確実に導入できる。
【００２３】
また、本実施形態の場合、クランプ機構３の左右方向のクランプ位置Ｘ，Ｘ′は、駆動レバー３ｃの長さに相当するクランプ半径Ｔが一定であることで制約を受けるので、調整プレート４を用いない場合には、固定部Ｆ１が固定部Ｆ２に変化するとの左右幅Ａが左右幅Ａ′に変わった分だけ左右方向に移動することになり、たとえばクランプ位置Ｘが固定部Ｆ１の左右幅の中心位置にあった場合、クランプ位置Ｘ′は固定部Ｆ２の左右幅Ｂ′の中心より大きく外れることになる。しかし、本考案では調整プレート４を用いることで取付部材２の左右方向の移動量も厚みＣ分だけ減少するため、クランプ位置Ｘ′を中心位置の近傍に維持し、クランプ状態を安定させることが可能になる。
【００２４】
上記実施形態では、図３に示す状態において調整プレート４をベース部材１と取付部材２の間に介挿しているが、調整プレート４を取付部材２とクランプ機構３の間に介挿しても構わない。ただし、取付部材２をベース部材１に対して左右に移動調整する必要があるために両者を着脱可能に構成する必要があるのに対し、取付部材２とクランプ機構３はそのような要請がないため、取付部材２とクランプ機構３を取り外す必要がなくなる点で上記実施形態の態様がより好ましい。
【００２５】
また、上記実施形態では、ベース部材１と取付部材２の間、若しくは、取付部材２とクランプ機構３の間に介挿されるべき調整プレート４そのものが取付部材２の側面２Ｓ上に取付可能とされているため、単一の調整プレート４で上記効果を得ることができるという利点があるが、これとは異なり、ベース部材１と取付部材２の間、若しくは、取付部材２とクランプ機構３の間に介挿されるべき第１の調整プレートと、取付部材２の側面２Ｓ上に取付されるべき第２の調整プレートとを別々に設けてもよい。この場合、固定物の左右方向及び上下方向の幅に応じて、第１の調整プレートと第２の調整プレートの厚みを同じに構成すること、或いは、当該厚みを相互に異ならせることもでき、両プレートを同時に用いることも可能になる。なお、この場合、並びに、上記実施形態において、固定物の寸法に応じて調整プレートを全く用いないことも可能である。
【００２６】
尚、本考案の取付固定具は、上述の図示例にのみ限定されるものではなく、本考案の要旨を逸脱しない範囲内において種々変更を加え得ることは勿論である。たとえば、図１はあくまで例示であり、取付固定具のベース部材には固定部に取付けるべき種々の被固定物を取付けた構造とすることができる。また、ベース部材そのものを被固定物として用いる用途にも適用可能である。
【図面の簡単な説明】
【００２７】
【図１】実施形態を用いた一例を示す概略斜視図。
【図２】実施例の取付部材と調整プレートの構造を示す分解斜視図。
【図３】固定物Ｆ１に取付けた実施形態の断面図。
【図４】固定物Ｆ２に取付けた実施形態の断面図。
【符号の説明】
【００２８】
１…ベース部材、１Ａ…支持部、１Ｂ…係合部、２…取付部材、２Ａ…固定面、２Ｂ…取付面、２Ｓ…側面、３…クランプ機構、４…調整プレート、４ｄ…角部、５…蝶ねじ、６…固定ねじ
【図１】
0003137248.tif 000003
【図２】
0003137248.tif 000004
【図３】
0003137248.tif 000005
【図４】
0003137248.tif 000006